(57)【特許請求の範囲】
【請求項１】
前面側に所定の遊技領域が形成された遊技盤と、前記遊技盤の前面側に設けられた遊技構成部品と、前記遊技盤を収容保持する枠部材と、遊技機の作動を統括的に制御するメイン制御基板と、前記遊技盤の後面側に着脱自在に設けられる画像表示ユニットとを備え、遊技展開に応じた画像を前記画像表示ユニットに表示させる制御を行って前記遊技盤に形成された開口を介して前記遊技盤の前面側から前記画像表示ユニットに表示される画像を目視可能に構成された遊技機であって、
前記画像表示ユニットが、画像を表示する画像表示パネル及び当該画像表示パネルを収容保持するパネル収容部材を有した画像表示装置と、前記メイン制御基板から入力される制御信号に基づいて前記遊技展開に応じた演出の制御を司るサブメイン制御基板と、前記サブメイン制御基板からの制御信号に基づいて前記画像表示装置における画像の表示の制御を司るサブサブ制御基板と、前記サブメイン制御基板と前記遊技構成部品とを電気接続するインターフェース基板と、前記サブメイン制御基板、前記サブサブ制御基板及び前記インターフェース基板が着脱自在に取り付けられる基板保持部材とを備え、
前記サブメイン制御基板、前記サブサブ制御基板及び前記インターフェース基板が前記基板保持部材の後面側に取り付けられて、これらがサブアッセンブリとして一体的に組み付けられ、前記基板保持部材の前面側と前記パネル収容部材の後面側との間に取付構造が形成されることで、当該サブアッセンブリが前記パネル収容部材の後面側に着脱自在に取り付け可能となっており、
前記基板保持部材は、前記インターフェース基板が着脱自在に取り付けられて、前記インターフェース基板を保持した状態で前記後面に対して当該面内方向に沿ってスライド移動可能に形成されたスライド部材を有し、
前記画像表示ユニットは、前記サブメイン基板に対して前記面内方向の一方側に前記サブサブ制御基板が配置されるとともに、前記サブメイン基板に対して前記面内方向の他方側に前記インターフェース基板が配置され、
前記サブサブ制御基板の前記他方側の側方に設けられたサブサブ基板コネクタと、前記インターフェース基板の前記一方側の側方に設けられたインターフェース基板コネクタと、前記サブメイン制御基板の前記一方側の側方に設けられ前記サブサブ基板コネクタと嵌合する第１サブメイン基板コネクタと、前記サブメイン制御基板の前記他方側の側方に設けられ前記インターフェース基板コネクタと嵌合するサブメイン基板コネクタとを更に有し、
前記一方側から前記他方側に向かって順に、前記サブサブ基板コネクタ、前記第１サブメイン基板コネクタ、前記第２サブメイン基板コネクタ、前記インターフェース基板コネクタ及び前記スライド部材が前記面内方向に沿って横一列に配置されて、前記サブサブ基板コネクタ及び前記第１サブメイン基板コネクタの嵌合方向と、前記第２サブメイン基板コネクタ及び前記インターフェース基板コネクタの嵌合方向と、前記スライド部材のスライド移動方向とが略一致し、
前記第１サブメイン基板コネクタと前記サブサブ基板コネクタとを嵌合させて前記サブメイン制御基板と前記サブサブ制御基板とを前記基板保持部材の前記後面側に配設した状態で、前記インターフェース基板を保持した前記スライド部材を前記一方側にスライド移動させることにより、前記第２サブメイン基板コネクタと前記インターフェース基板コネクタとが嵌合するよう構成したことを特徴とする遊技機。
【発明の詳細な説明】
【技術分野】
【０００１】
本発明は、パチンコ機等の遊技機に関し、更に詳細には、画像を表示させる画像表示装
置を備え、遊技展開に応じた画像を画像表示装置に表示させる制御を行うように構成され
た遊技機に関する。
【背景技術】
【０００２】
上記のような遊技機の代表例であるパチンコ機には、前面に遊技領域を形成する遊技盤
を立設姿勢で収容保持した前枠に、前背面に遊技球の処理経路を一体に設けるとともに、
背面に裏セット盤を取り付けて構成され、発射装置により遊技領域上部に導いた遊技球を
落下させる過程で遊技領域内に設けた入賞装置に入賞させる遊技を行うように構成されて
いる。
【０００３】
遊技盤における遊技領域内には、多数の遊技釘、入賞装置等が取り付けられるとともに
、略中央部にセンター飾りが取り付けられており、このセンター飾りに形成した開口部内
に遊技展開に応じた図柄を表示させて遊技性を高めるための液晶表示装置が、例えばこの
液晶表示パネルの画面を前面に臨ませた配設姿勢で取り付けられている（例えば、特許文
献１を参照）。
【先行技術文献】
【特許文献】
【０００４】
【特許文献１】特開２００７−２２９２４２号公報
【発明の概要】
【発明が解決しようとする課題】
【０００５】
ところで、上記のようなパチンコ機では、例えば液晶表示装置の背面に、透明な保護ケ
ース等に覆われて、この液晶表示装置やセンター飾りなどの演出機能を制御する制御基板
が一体的に取り付けられて画像表示ユニットを構成しているが、近年においては、この制
御基板が各機能別に分割して複数設けられる傾向にあり、例えば、パチンコ機全体（枠及
び盤面）の演出機能を制御する演出制御基板、この演出制御基板からの制御信号に基づい
て主として液晶表示装置における画像の表示を制御する画像制御基板、演出制御基板から
の制御信号を中継して遊技盤の盤面におけるセンター飾りや可動役物の演出を制御する演
出インターフェース基板などが配設されている。しかしながら、このように液晶表示装置
の背面に複数の制御基板の各々を個別に取り付けてユニットを構成することとなると、基
板交換時の着脱作業が煩雑になる虞があるという問題がある。
【０００６】
本発明は、このような課題に鑑みてなされたものであり、画像表示ユニットにおける基
板交換の作業効率を向上させた遊技機を提供することを目的とする。
【課題を解決するための手段】
【０００７】
このような目的達成のために、本発明に係る遊技機は、前面側に所定の遊技領域が形成された遊技盤と、遊技盤の前面側に設けられた遊技構成部品と、遊技盤を収容保持する枠部材（例えば、実施形態における前枠２）と、遊技機の作動を統括的に制御するメイン制御基板（例えば、実施形態における主制御基板３４）と、遊技盤の後面側に着脱自在に設けられる画像表示ユニット（例えば、実施形態における液晶ユニット４０）とを備え、遊技展開に応じた画像を画像表示ユニットに表示させる制御を行って遊技盤に形成された開口（例えば、実施形態における内部空間１６）を介して遊技盤の前面側から画像表示ユニットに表示される画像を目視可能に構成された遊技機（例えば、実施形態におけるパチンコ機ＰＭ）であって、画像表示ユニットが、画像を表示する画像表示パネル（例えば、実施形態における液晶表示パネル５１）及び当該画像表示パネルを収容保持するパネル収容部材（例えば、実施形態における液晶パネルケース５３）を有した画像表示装置（例えば、実施形態における液晶表示装置５０）と、メイン制御基板から入力される制御信号に基づいて遊技展開に応じた演出の制御を司るサブメイン制御基板（例えば、実施形態における演出制御基板９０）と、サブメイン制御基板からの制御信号に基づいて画像表示装置における画像の表示の制御を司るサブサブ制御基板（例えば、実施形態における画像制御基板１００）と、サブメイン制御基板と遊技構成部品とを電気接続するインターフェース基板（例えば、実施形態における演出インターフェース基板１４０）と、サブメイン制御基板、サブサブ制御基板及びインターフェース基板が着脱自在に取り付けられる基板保持部材（例えば、実施形態におけるボトムケース１６０）とを備え、サブメイン制御基板、サブサブ制御基板及びインターフェース基板が基板保持部材の後面側に取り付けられて、これらがサブアッセンブリ（例えば、実施形態における制御基板アッセンブリ８０）として一体的に組み付けられ、基板保持部材の前面側とパネル収容部材の後面側との間に取付構造が形成されることで、当該サブアッセンブリがパネル収容部材の後面側に着脱自在に取り付け可能となっており、基板保持部材は、インターフェース基板が着脱自在に取り付けられて、インターフェース基板を保持した状態で後面に対して当該面内方向に沿ってスライド移動可能に形成されたスライド部材（例えば、実施形態における着脱フック１８２）を有し、画像表示ユニットは、サブメイン基板に対して面内方向の一方側にサブサブ制御基板が配置されるとともに、サブメイン基板に対して面内方向の他方側にインターフェース基板が配置され、サブサブ制御基板の他方側の側方に設けられたサブサブ基板コネクタと、インターフェース基板の一方側の側方に設けられたインターフェース基板コネクタと、サブメイン制御基板の一方側の側方に設けられサブサブ基板コネクタと嵌合する第１サブメイン基板コネクタと、サブメイン制御基板の他方側の側方に設けられインターフェース基板コネクタと嵌合するサブメイン基板コネクタとを更に有し、一方側から他方側に向かって順に、サブサブ基板コネクタ、第１サブメイン基板コネクタ、第２サブメイン基板コネクタ、インターフェース基板コネクタ及びスライド部材が面内方向に沿って横一列に配置されて、サブサブ基板コネクタ及び第１サブメイン基板コネクタの嵌合方向と、第２サブメイン基板コネクタ及びインターフェース基板コネクタの嵌合方向と、スライド部材のスライド移動方向とが略一致し、第１サブメイン基板コネクタとサブサブ基板コネクタとを嵌合させてサブメイン制御基板とサブサブ制御基板とを基板保持部材の後面側に配設した状態で、インターフェース基板を保持したスライド部材を一方側にスライド移動させることにより、第２サブメイン基板コネクタとインターフェース基板コネクタとが嵌合するよう構成した。
【発明の効果】
【０００８】
本発明に係る遊技機によれば、画像表示ユニットにおける基板交換の作業効率を向上さ
せることが可能である。
【図面の簡単な説明】
【０００９】
【図１】本発明に係る遊技機の一例として示すパチンコ機の正面図である。
【図２】上記パチンコ機の背面図である。
【図３】上記パチンコ機に装着される遊技盤の正面図である。
【図４】上記遊技盤の背面図である。
【図５】上記パチンコ機の基板配置とともに制御系の一部を示すブロック図である。
【図６】上記パチンコ機に備えられる液晶ユニットを正面側から見た斜視図である。
【図７】上記液晶ユニットを背面側から見た斜視図である。
【図８】上記液晶ユニットの背面図である。
【図９】図８における矢印IX−IXに沿って示す断面図である。
【図１０】図８における矢印X−Xに沿って示す断面図である。
【図１１】上記液晶ユニットの側面図である。
【図１２】演出インターフェース基板を取り外した状態の上記液晶ユニットの斜視図である。
【図１３】トップケースを取り外した状態の上記液晶ユニッの斜視図である。
【図１４】ＲＯＭ基板を取り外した状態の上記液晶ユニットの斜視図である。
【図１５】液晶表示装置における後面ケースの背面図である。
【図１６】トップケースを取り外した状態の制御基板アッセンブリの正面図である。
【図１７】基板ホルダの斜視図である。
【図１８】基板ケースにおけるボトムケースの正面図である。
【図１９】上記ボトムケースの背面図である。
【図２０】基板ケースにおけるトップケースの斜視図である。
【発明を実施するための形態】
【００１０】
以下、本発明の好ましい実施形態について図面を参照しながら説明する。まず、本発明
に係る遊技機を適用したパチンコ機ＰＭの全体構成を図１〜図５の各図を参照しながら概
要説明する。ここで、図１はパチンコ機ＰＭの正面図、図２はパチンコ機ＰＭの背面図、
図３はパチンコ機ＰＭに装着される遊技盤１０の正面図、図４は遊技盤１０の背面図、図
５はパチンコ機ＰＭにおける基板配置とともに制御系の一部を示すブロック図である。
【００１１】
パチンコ機ＰＭは、図１に示すように、外郭方形枠サイズに構成された縦向きの固定保
持枠をなす外枠１の開口前面に、これに合わせた方形枠サイズに構成されて開閉搭載枠を
なす前枠２が互いの正面左側縁部に配設された上下のヒンジ機構３により横開き開閉およ
び着脱が可能に取り付けられ、正面右側縁部に設けられたダブル錠と称される施錠装置４
を利用して常には外枠１と係合連結された閉鎖状態に保持される。
【００１２】
前枠２の前面側には、前枠２の上部前面域に合わせた方形状のガラス枠５が上下のヒン
ジ機構３を利用して横開き開閉および着脱可能に組み付けられ、施錠装置４を利用して常
には前枠２の前面を覆う閉鎖状態に保持される。ガラス枠５の背後に位置する前枠２の前
面側には、遊技盤１０を着脱可能に収容する収容枠が設けられており、この収容枠の上部
領域に遊技盤１０が後方から着脱可能にセット保持され、常には閉鎖保持されるガラス枠
５の複層ガラスを通して遊技盤１０の正面の遊技領域ＰＡを視認可能に臨ませるようにな
っている。
【００１３】
遊技盤１０は、図３に示すように、ルータ加工等を施した矩形状の積層合板に、所定の
図柄が印刷されたセルを貼り付けて成型される化粧板１１を基板として構成される。化粧
板１１の前面には、遊技球が転動可能な略円形の遊技領域ＰＡが区画形成され、図３では
詳細図示を省略しているが、この遊技領域ＰＡに多数本の遊技釘、風車、各種入賞具、中
央飾り１５などの遊技構成部品が設けられ、遊技領域ＰＡの下端部には入賞具に落入する
ことなく落下した遊技球を裏面側に排出させるアウト口が化粧板１１を前後に貫通して形
成されている。また、遊技盤１０の裏面側には、図４に示すように、球寄せカバー１２の
他にも、後述する主制御基板３４を収容保持する主制御基板ユニット３４Ｕや、液晶表示
装置５０等を備える液晶ユニット４０が設けられている。
【００１４】
ガラス枠５の下部には前面側に遊技球を貯留する上下の球皿６，７が設けられ、この下
球皿７の正面右側には遊技球の発射操作を行う発射ハンドル８が設けられている。なお、
ガラス枠５の前面側には発光ダイオード（ＬＥＤ）やランプ等の電飾装置や、遊技の展開
状態に応じて効果音を発生させるスピーカ等が適宜設けられるが、図１においてはこれら
を取り外した状態を示している。
【００１５】
前枠２の裏面側には、図２に示すように、中央に前後連通する窓口を有して前枠２より
も幾分小型の矩形枠状に形成された基枠体をベースとしてなる裏セット盤２０が、上下の
ヒンジ機構３を介して前枠２後方に横開き開閉および着脱が可能に連結されている。この
裏セット盤２０には前面開放の矩形箱状をなす透明樹脂製の保護カバー２９が着脱自在に
装着されており、常には前枠２に取り付けられた遊技盤１０の後面側を覆って配設されて
いる。裏セット盤２０には、多数の遊技球を貯留する球貯留タンク２１、球貯留タンク２
１から右方に緩やかな下り傾斜を有して延びるタンクレール２２、タンクレール２２の右
端部に繋がり下方に延びる整列待機通路２３、整列待機通路２３に待機された遊技球を所
定条件のもと払い出す球払出装置２４、球払出装置２４の下方に設けられて球払出装置２
４から払い出された遊技球を上球皿６に導く払出通路（図示せず）、この払出通路から分
岐して上球皿６が満杯の状態で払い出された遊技球を下球皿７に導く溢れ球通路（図示せ
ず）等が設けられている。また、裏セット盤２０の背面側部分には、後述する電源基板３
１を収容保持する電源基板ユニット３１Ｕ、枠演出接続基板３２を収容保持する枠演出接
続基板ユニット３２Ｕ、払出制御基板３３を収容保持する払出制御基板ユニット３３Ｕな
どが取り付けられている。
【００１６】
以上のように構成されるパチンコ機ＰＭは、外枠１が遊技施設の遊技島（設置枠台）に
固定設置され、前枠２、ガラス枠５等が閉鎖施錠された状態で遊技に供され、上球皿６に
遊技球を貯留させて発射ハンドル８を回動操作することにより遊技が開始される。発射ハ
ンドル８が回動操作されると、上球皿６に貯留された遊技球が、ガラス枠５の裏面側に配
設される球送りカセットによって１球ずつ遊技補助盤のガイドホルダに送り出され、発射
機構のハンマーにより遊技領域ＰＡに打ち出されて、以降パチンコゲームが展開される。
【００１７】
ここで、遊技盤１０および裏セット盤２０における各種制御基板の配置構成について、
図２、図４および図５を参照しながらもう少し詳しく説明する。なお、図５に示す矢印は
電力または信号等のやり取りを示すもので、この矢印の指す方向に電力の供給もしくは信
号の送信が実行される。なお、図５においては図示省略しているが、主制御基板３４や払
出制御基板３３を含む各制御基板は、不正な改造行為を防止するために透明樹脂製のケー
ス部材に適宜収容された状態（前述の主制御基板ユニット３４Ｕや払出制御基板ユニット
３３Ｕを参照）で取り付けられている。
【００１８】
まず、裏セット盤２０の裏面側下部には、遊技施設側から受電して各種制御基板や電気
・電子部品に電力を供給する電源基板３１と、ガラス枠５のランプ制御、音声制御および
アクチュエータ制御等の各種演出の制御を行う枠演出接続基板３２とが左右に並んで配設
されており、遊技球の発射および払い出しに関する制御を行う払出制御基板３３が電源基
板３１および枠演出接続基板３２の後方を覆うように取り付けられている。
【００１９】
一方、遊技盤１０の裏面側には、パチンコ機ＰＭにおける制御の中枢を担う主制御基板
３４が取り付けられており、この主制御基板３４の前面側には遊技盤中継端子板３５が取
り付けられている。また、主制御基板３４の上方には、各種遊技展開に応じた演出画像や
抽選図柄を表示させるための液晶表示パネル５１が配設され、この液晶表示パネル５１の
後面側に、液晶中継基板５６、インバータ基板５７、演出制御基板９０、画像制御基板１
００、および演出インターフェース基板１４０などの回路基板類が取り付けられて後述す
る液晶ユニット４０が構成されている。
【００２０】
なお、演出制御基板９０、画像制御基板１００、および枠演出接続基板３２は、従来は
演出基板として一体的に構成されていた回路基板であるが、この演出基板として構成され
た回路基板を複数に分割して、遊技盤１０（液晶表示パネル５１含む）の種別に応じて相
違する演出機能を実現するための演出制御基板９０および画像制御基板１００を遊技盤１
０側に設け、遊技盤１０の種別に拘わらず枠共通の演出機能を実現するための枠演出接続
基板３２を裏セット盤２０側に設けている。
【００２１】
こうして、液晶表示パネル５１を含み当該液晶表示パネル５１に表示される画像の制御
等を行う演出制御基板９０および画像制御基板１００などが保持された液晶ユニット４０
が、遊技盤１０の裏面側に取り付けられている。図４に示すように、遊技盤１０の略中央
部には、化粧板１１を表裏貫通する中央飾り取付孔１３が開口形成されており、この中央
飾り取付孔１３に中央飾り（センター役物）１５が取り付けられる。中央飾り１３には前
後に開口した略直方体形の内部空間１６（図３を参照）が形成されており、この内部空間
１６の開口面域は、遊技盤１０の裏面側に配設される液晶ユニット４０（液晶表示パネル
５１）の表示画面サイズに合わせて形成されている。また、遊技盤１０の裏面側に左右一
対の液晶ユニット取付部（図示せず）が設けられており、これに対応して液晶ユニット４
０の左右側部の各々には取付突起部７３が形成され、この取付突起部７３が液晶ユニット
取付部にビス止めされて液晶ユニット４０が遊技盤１０の裏面側に固定される。液晶ユニ
ット４０が遊技盤１０にビス止め固定されると、ガラス枠５の複層ガラスおよび遊技盤１
０の内部空間１６を通じて、遊技者がパチンコ機ＰＭの正面から液晶ユニット４０の表示
画面全体を視認可能になっている。
【００２２】
それでは、本実施形態に係る液晶ユニット４０の具体的構成について、図６〜図２０を
追加参照して以下に説明する。ここで、図６は液晶ユニット４０を正面側から見た斜視図
、図７は液晶ユニット４０を背面側から見た斜視図、図８は液晶ユニット４０の背面図、
図９は図８における矢印IX−IXに沿って示す断面図、図１０は図８における矢印X−Xに沿
って示す断面図、図１１は液晶ユニット４０の側面図、図１２は演出インターフェース基
板を取り外した状態の液晶ユニット４０の斜視図、図１３はトップケースを取り外した状
態の液晶ユニット４０の斜視図、図１４はＲＯＭ基板を取り外した状態の液晶ユニット４
０の斜視図、図１５は液晶表示装置における後面ケースの背面図、図１６はトップケース
を取り外した状態の制御基板アッセンブリの正面図、図１７は基板ホルダの斜視図、図１
８は基板ケースにおけるボトムケースの正面図、図１９はボトムケースの背面図、図２０
は基板ケースにおけるトップケースの斜視図である。なお、以下の説明においては、説明
の便宜ため、前後左右および上下の方向は、パチンコ機ＰＭへの取付状態での方向として
、図６および図７の状態を基準として定義しており、図６および図７に示す矢印の方向を
それぞれ前後、左右、上下と称して説明する。
【００２３】
液晶ユニット４０は、図６等に示すように、遊技盤１０に取り付けられたときに表示画
面となり所定の画像を表示するための液晶表示パネル５１を備える正面視矩形状の液晶表
示装置５０と、この液晶表示装置５０の後面側に設けられ液晶表示パネル５１における画
像の表示等を含む各種演出を制御するための回路基板類を備える制御基板アッセンブリ８
０とを主体として構成される。
【００２４】
液晶表示装置５０は、画像を液晶表示する正面視矩形状の液晶表示パネル５１と、この
液晶表示パネル５１の表示画面５１ａを保護するために液晶表示パネル５１の前面側で表
示画面の全体を覆って密着する正面視矩形状の保護パネル５２と、透明な樹脂材料を用い
て矩形箱状に形成された液晶パネルケース５３とを備えて構成される。本実施形態では、
液晶表示パネル５１の大きさ（表示画面の対角線の長さ）は、１５インチが採用されてい
る（必ずしもこのサイズに限定されない）。
【００２５】
液晶パネルケース５３は、後面開放の矩形箱状に形成された前面ケース６０と、前面開
放の矩形箱状に形成された後面ケース７０とからなり、これらのケース半体が前後に重な
り合って構成されており、このケース内部に液晶表示パネル５１を収容保持して液晶表示
パネル５１の表示画面５１ａを除く全体を囲んでいる。前面ケース６０の上下の側壁には
後方に突出して延びる前面ケース係合爪６１が形成されており、後面ケース７０の上下の
側壁に凹状に形成された後面ケース係合受部７１にそれぞれ係合させることで、前面ケー
ス６０と後面ケース７０とが前後に重合した状態で係合保持され、複数本のビス（図示せ
ず）を用いてビス止め固定されるようになっている。
【００２６】
前面ケース６０には、液晶表示パネル５１の表示画面５１ａを前方に臨ませるための正
面視矩形状のケース開口部６２が形成されており、液晶ユニット４０が遊技盤１０の裏面
側に配設された状態において、このケース開口部６２と遊技盤１０の内部空間とが位置整
合して前後に重なるようになっている。後面ケース７０には、下方に突出する左右一対の
回動支持部７２が形成されており、この回動支持部７２を遊技盤１０の背面側に形成され
た水平に延びる支軸（図示せず）にそれぞれ係合させることで、液晶ユニット４０をこの
支軸を中心として遊技盤１０に対して回動させ得る構造（すなわち、ヒンジ構造）が実現
される。また、後面ケース７０には前述した取付突起部７３が左右外方に突出形成されて
おり、液晶ユニット４０を支軸回りに回動させて垂直姿勢（盤面と平行な姿勢）にしたと
ころで、この取付突起部７３の取付孔７３ａと液晶ユニット取付部（図示せず）のネジ孔
とが位置整合して前後に重なり、両者をビス止め固定し得るようになる。
【００２７】
また、液晶パネルケース５１の内部において、液晶表示パネル５１の背面側には、この
液晶表示パネル５１との接続を行う信号供給用のハーネス（図示せず）が繋がれる液晶中
継基板５６（図５を参照）が液晶パネルケース５３内にビス止め固定されて収容保持され
ている。また、液晶パネルケース５３には、液晶表示パネル５１のバックライト用の電源
装置であるインバータ基板５７（図５を参照）がビス止め固定されている。インバータ基
板５７は、電力供給用のハーネス（図示せず）を介して液晶中継基板５６と繋がっており
、この液晶中継基板５６を介して画像制御基板から電力の供給を受ける。また、インバー
タ基板５７からは液晶表示パネル５１への電力供給用のハーネス（図示せず）が延びてお
り、この電力供給用のハーネスを介して液晶表示パネル５１に向けて電力を供給すること
で、液晶表示パネル５１に所定の画像を液晶表示させることが可能である。
【００２８】
液晶表示装置５０における後面ケース７０の後壁側には、図１５に示すように、制御基
板アッセンブリ８０を取り付けるための取付構造として、後面ケース７０の後壁を表裏貫
通して左右方向に延びる４箇所のガイド孔７４と、可撓性を有して前後方向に揺動可能な
ロック片７５とが形成されている。
【００２９】
ガイド孔７４は、液晶パネルケース５１を後壁側から見た背面視において略Ｌ字状に形
成されており、上側２箇所のガイド孔７４と下側２箇所のガイド孔７４とは上下対称に形
成されている。このガイド孔７４には、右側の内側端から内方に突出した薄板状の係止片
７４ａが設けられている。
【００３０】
ロック片７５は、後面ケース７０の後壁の一部を略コ字状に切り欠くことで前後に揺動
可能（弾性変形可能）になっており、後方に向けて突出するパネル側係止爪７６と、前方
に向けて押圧操作されることでロック片７５全体を弾性変形させてパネル側係止爪７６の
係脱操作を行うための操作部７７とを有している。このパネル側係止爪７６には、図９に
示すように、先端側から基端側に向かうに従って後方への突出量が大きくなるように一定
角度で傾斜した傾斜面７６ａが形成されており、その基端側には係止面７６ｂが形成され
ている。
【００３１】
制御基板アッセンブリ８０は、図７および図１３等に示すように、主制御基板３４から
入力される演出指令信号に基づいてパチンコ機ＰＭの遊技演出全体を制御する演出制御基
板９０と、演出制御基板９０から入力される制御信号に基づいて液晶表示装置５０の作動
を制御する画像制御基板１００と、演出制御基板９０と遊技盤１０の遊技構成部品１９（
図５を参照）との間に接続されて制御信号を中継する演出インターフェース基板１４０と
、これらの基板を保持する基板ケース１５０とを備えて構成されており、これらが一体的
に組み付けられてサブアッセンブリをなし、このサブアッセンブリが液晶表示装置５０の
後面側に着脱自在に取り付け可能となっている。
【００３２】
演出制御基板９０は、パチンコ機ＰＭの機種（バージョンを含む）および遊技展開に応
じた演出の制御を行うための基板である。演出制御基板９０は、図１３および図１６に示
すように、矩形板状のプリント配線板９１を基板とし、このプリント配線板９１に種々の
半導体デバイスや抵抗、コンデンサ等の電子部品が実装されて演出処理回路が形成されて
おり、主制御基板３４側から演出制御基板９０へ一方向通信可能となるように電気接続さ
れている。演出制御基板９０の左方部には、画像制御基板１００と電気接続するための接
続コネクタ（所謂「ボード・トゥ・ボードコネクタ」）９２が設けられている。また、演
出制御基板９０の右方部には、演出インターフェース基板１４０と電気接続するための接
続コネクタ（所謂「ボード・トゥ・ボードコネクタ」）９３が設けられており、この接続
コネクタ９３は基板ケース１５０に開口形成されたコネクタ挿抜口１９４を介してケース
外部に露出している。なお、演出制御基板９０の下方に位置する接続コネクタ９４は主制
御基板３４と電気接続するためのコネクタであり、その右隣にある接続コネクタ９５は枠
演出接続基板３２と電気接続するためのコネクタである。これらの接続コネクタ９４，９
５に隣接して、音量を調節するための音声ボリューム９６が外部から操作可能に設けられ
ている。このプリント配線板９１の右側縁部の上下二箇所にはこの演出制御基板９０を基
板ケース１５０にビス止めするための円孔状の基板取付孔９７が形成されている。
【００３３】
画像制御基板１００は、主として液晶表示パネル５１の作動を制御するための基板であ
り、演出制御基板９０からの制御信号に基づいて、遊技展開状況に応じて演出ＲＯＭ基板
１１０の画像ＲＯＭに記憶された画像データ（アニメーション画像）を読み出し、液晶中
継基板５６を介して、液晶表示パネル５１に映像出力信号を出力してアニメーション映像
を表示させる。なお、画像制御基板１００からの信号出力には、高速伝送を確保しつつノ
イズの影響を回避するため、ＬＶＤＳ（Low Voltage Differential Signaling）を利用し
ている。また、画像制御基板１００は、音響リクエストに応じてサウンドＲＯＭ基板１３
０の音声ＲＯＭに記憶された音響データを読み込み、演出制御基板９０を介して、これを
合成処理して生成した音響制御信号を枠演出接続基板３２に出力する。
【００３４】
この画像制御基板１００は、演出制御基板９０よりも大きめの矩形形状のプリント配線
板１０１を基板とし、このプリント配線板１０１に種々の半導体デバイスや抵抗、コンデ
ンサ等の電子部品が実装されて、液晶表示パネル５１を駆動する液晶パネル駆動回路など
が形成され、プリント配線板１０１の右方部に設けられた接続コネクタ（所謂「ボード・
トゥ・ボードコネクタ」）１０２と演出制御基板９０の接続コネクタ９２とを嵌合接続さ
せることで、この画像制御基板１００と演出制御基板９０とが電気接続（ボード・トゥ・
ボード接続）されるようになっている。また、プリント配線板１０１の左方部には接続コ
ネクタ１０３が設けられており、この接続コネクタ１０３に接続されたハーネス（図示せ
ず）を介して液晶中継基板５６と電気接続される。このプリント配線板１０１の左側縁部
の上下２箇所にはこの画像制御基板１００を基板ケース１５０にビス止めするための円孔
状の基板取付孔１０４が形成されている。また、プリント配線板１０１の右縁部に形成さ
れた２箇所の半円孔１０４′と、プリント配線板１０１の左縁部に形成された２箇所の半
円孔９７′とが夫々対向して組み合わされることで、演出制御基板９０および画像制御基
板１００で共有する円孔状の基板取付孔１０５が形成される。
【００３５】
画像制御基板１００におけるプリント配線板１０１の左上部には画像ＲＯＭ等（図示せ
ず）を備えた演出ＲＯＭ基板１１０が基板ホルダ１２０を介してスタック実装され、同様
にしてプリント配線板１０１の右下部には音声ＲＯＭ等（図示せず）を備えたサウンドＲ
ＯＭ基板１３０が基板ホルダ１３２を介してスタック実装されている。
【００３６】
演出ＲＯＭ基板１１０は、横長矩形のプリント配線板１１１を基板とし、このプリント
配線板１１１に多数のアニメーション画像などが記憶される画像ＲＯＭ等が複数実装され
たＲＯＭボードとなっている。この演出ＲＯＭ基板１１０と画像制御基板１１０との間の
電気接続は、図１０に示すうように、これら両基板の入出力端子間を嵌脱自在にスタック
接続するスタック実装型の接続コネクタ（所謂「ボード・トゥ・ボードコネクタ」）１０
６，１１２により行われる。演出ＲＯＭ基板１１０にはこのプリント配線板１１１を表裏
貫通する左右一対のリアピン挿入孔１１３が形成されており、このリアピン挿入孔１１３
よりも下方に位置して、演出ＲＯＭ基板１１０を取り付けるためのビス（図示せず）を挿
通させる左右一対のビス挿通孔１１４がプリント配線板１１１を表裏貫通して形成されて
いる。
【００３７】
基板ホルダ１２０は、図１４および図１７に示すように、平面視においてコ字枠状に形
成され、前述の接続コネクタ１０６，１１２（図１０を参照）の嵌合高さに合わせた上下
方向厚さを有し、演出ＲＯＭ基板１１０を所定位置で安定保持する接続固定用のスペーサ
部材（「メモリースペーサ」とも称される）である。この基板ホルダ１２０は、透明な樹
脂材料を用いて射出成形等により形成されており、演出ＲＯＭ基板１１０の裏面外縁部を
支持するホルダ本体１２１と、このホルダ本体１２１から前方に突出する円柱状のフロン
トピン１２２と、ホルダ本体１２１から後方に突出する円柱状のリアピン１２３と、ホル
ダ本体１２１の端部に形成された円筒部１２４とを備えている。円筒部１２４の中央には
、前面側に開口する大径孔と後面側に開口する小径孔とが連通してなる段付き孔１２５が
前後貫通して形成されている。
【００３８】
基板ボルダ１２０のフロントピン１２２は画像制御基板１００に形成されたフロントピ
ン孔（図示せず）に挿入可能であり、これにより基板ホルダ１２０が画像制御基板１００
に位置決めされた状態で取り付けられる。ここで、図１８に示すように、基板ケース１５
０（ボトムケース１６０）には後方に突出するネジボス１６８が形成されており、基板ホ
ルダ１２０をフロントピン１２２により画像制御基板１００に取り付けたときに、このネ
ジボス１６８の先端（頂部）が、画像制御基板１００のプリント配線板１０１に穿設され
た通過孔（図示せず）を通して、基板ホルダ１２０の段付き孔１２５に嵌入されるように
なっている。
【００３９】
この基板ホルダ１２０を後方から覆うようにして演出ＲＯＭ基板１１０が取り付け可能
であり、基板ホルダ１２０のリアピン１２３が演出ＲＯＭ基板１１０のリアピン挿入孔１
１３に挿入されることで、演出ＲＯＭ基板１１０が基板ホルダ１２０を介して画像制御基
板１００の所定位置（すなわち、演出ＲＯＭ基板１１０の接続コネクタ１１２が画像制御
基板１００の接続コネクタ１０６に嵌合接続される位置）に位置決めされる。演出ＲＯＭ
基板１１０が基板ホルダ１２０を介して画像制御基板１００に位置決めされた状態では、
演出ＲＯＭ基板１１０のビス挿通孔１１４、基板ホルダ１２０の段付き孔１２５、および
基板ケース１５０のボトムケース１６０のネジボス１６８が同軸上に位置整合し、これに
より演出ＲＯＭ基板１１０を画像制御基板１００（および基板ケース１５０）にビス止め
固定することが可能である。
【００４０】
一方、サウンドＲＯＭ基板１３０は、横長矩形のプリント配線板１３１を基板とし、こ
のプリント配線板１３１に演出パターンに対応した各種効果音を発生させるための音響デ
ータが記憶された音声ＲＯＭ等が実装されたＲＯＭボードとなっている。このサウンドＲ
ＯＭ基板１３０も基板ホルダ１３２を介して画像制御基板１００の所定位置、すなわち、
サウンドＲＯＭ基板１３０の接続コネクタ（図示せず）が画像制御基板１００の接続コネ
クタ１０７に嵌合接続される位置に位置決めされた状態でビス止め固定される基板間接続
構造をとっているが、前述の演出ＲＯＭ基板１１０と画像制御基板１００との間の基板間
接続構造と同様であるため、その説明は省略する。
【００４１】
演出インターフェース制御基板１４０は、遊技盤１０の盤面に配設された中央飾り１５
の電飾や可動役物等の遊技構成部品１９（図５を参照）にハーネス（図示せず）を介して
電気接続されており、演出制御基板９０から出力される制御信号（ランプ制御信号および
アクチュエータ制御信号）を中継して、遊技盤１０のランプ制御およびアクチュエータ制
御を実行する。
【００４２】
演出インターフェース基板１４０は、演出制御基板９０よりも小さめの矩形形状のプリ
ント配線板１４１を基板とし、このプリント配線板１４１に複数の複数の接続コネクタ等
が実装されており、右側縁部の上下２箇所にはこの演出インターフェース基板１４０を基
板ケース１５０のボトムケース１６０にビス止めするための基板取付孔１４２が形成され
、左側縁部には左端側に開放するＵ字状溝１４３が設けられ、右側縁部の中央には円孔状
のピン嵌挿孔１４４が設けられている。また、演出インターフェース基板１４０には、接
続コネクタ（所謂「ボード・トゥ・ボードコネクタ」）１４５が左側方に突出して設けら
れており、この接続コネクタ１４５と演出制御基板９０の接続コネクタ９３とが嵌合接続
されることで、演出インターフェース基板１４０と演出制御基板９０とが電気接続（ボー
ド・トゥ・ボード接続）されるようになっている。
【００４３】
基板ケース１５０は、制御基板アッセンブリ８０のベースとなり液晶表示装置５０の後
面側に取り付けられる基板保持部材としてのボトムケース１６０と、このボトムケース１
６０に取り付けられるトップケース１９０とを備えて構成され、これらが重なり合うこと
でその内部に画成される基板収容室に演出制御基板９０および画像制御基板１００が収容
保持される。基板ケース１５０を構成するボトムケース１６０及びトップケース１９０は
、共に透明な樹脂材料を用いて射出成形等の成形手段により形成されており、基板ケース
１５０の外部からでも、その内部に配設された演出制御基板９０および画像制御基板１０
０等の状態が目視確認できるようになっている。
【００４４】
ボトムケース１６０は、横長矩形の平板状に形成されたボトムケース本体壁１６１と、
このボトムケース本体壁１６１を囲んで後方に延びる上下左右の側壁１６２とを備え、全
体として後面側が開口した浅底箱状を呈している。ボトムケース１６０の底部となるボト
ムケース本体壁１６１には、縦横に格子状に連続する複数の補強リブ１６３が形成されて
おり、これによりボトムケース１６０の強度を向上させている。
【００４５】
ボトムケース１６０の前面側（液晶パネルケース１５３の後面に対向する面）には、図
１９に示すように、液晶表示装置５０への取付構造として、前方外方へ突出する４箇所の
案内リブ１６４と、後面ケース７０のパネル側係止爪７６と係合可能な基板側係止爪１６
５とが設けられている。案内リブ１６４は、側断面視においてＬ字状に形成されて後面ケ
ース７０のガイド孔７４に挿入可能に構成されており、案内リブ１６４をガイド孔７４に
挿入して係止片７４ａ側（右方向）に移動させると、案内リブ１６４と係止片７４ａとが
係合して、この係止片７４ａによって案内リブ１６４の上下および前後移動が規制される
ようになっている。なお、この案内リブ１６４は後面ケース７０のガイド孔７４と同じ数
（４箇所）だけ形成されており、その配置間隔もガイド孔７４と対応している。基板側係
止爪１６５は、案内リブ１６４が係止片７４ａと係合した状態で、後面ケース７０のパネ
ル側係止爪７６と係合するようになっている。この基板側係止爪１６５には、図９に示す
ように、先端側から基端側に向かうに従って前方への突出量が大きくなるように一定角度
で傾斜した傾斜面１６５ａが形成されており、その基端側には係止面１６５ｂが形成され
ている。
【００４６】
一方、ボトムケース１６０の後面側には、図１８に示すように、ボトムケース本体壁１
６１および側壁１６２に囲まれて、演出制御基板９０および画像制御基板１００を収容す
るための第１収容部１７０と、演出インターフェース基板１４０を収容するための第２収
容部１８０とが形成されており、これら第１収容部１７０と第２収容部１８０との間は上
下方向に延びる仕切壁１６６によって仕切られている。このボトムケース１６０の後面側
には、後方に向けて突出する円筒形状のネジボス１６７が８箇所形成されており、各ネジ
ボス１６７の先端面（頂部）が各回路基板の背面側を受ける載置面となっている。また、
演出ＲＯＭ基板１１０およびサウンドＲＯＭ基板１３０のビス止め位置に対応して、後方
に突出する段付き円筒形状のネジボス１６８が４箇所形成されており、このネジボス１６
８の先端部分が画像制御基板１００に形成された通過孔（図示せず）を通して基板ホルダ
１２０の段付き孔１２５（および基板ホルダ１３２の段付き孔）に嵌入されるようになっ
ている。
【００４７】
第１収容部１７０には、前述の演出制御基板９０および画像制御基板１００がボード・
トゥ・ボードにて電気接続された状態で左右に並んで配設されるようになっており、これ
ら演出制御基板９０および画像制御基板１００の背面側および側面側を覆うようにして電
磁ノイズの影響を排除するためのシールド板１７１が取り付けられている。
【００４８】
第２収容部１８０には、図１２等に示すように、演出インターフェース基板１４０が、
第１収容部１７０に取り付けられた演出制御基板９０とボード・トゥ・ボード接続された
状態で配設されるようになっている。この第２収容部１８０には、ボトムケース本体壁１
６１の中央で左右方向に延びるスライド溝１８１と、このスライド溝１８１に係合して左
右方向にスライド移動自在に設けられた着脱フック１８２と、スライド溝１８１の右端部
に後方から重なるようにして設けられた矩形板状の台座１８３と、ボトムケース本体壁１
６１から後方に向けて突設された４箇所の支持リブ１８４と、ボトムケース本体壁１６１
からＬ字状に突設された２箇所の押さえリブ１８５と、ボトムケース本体壁１６１から後
方に向けて突設された上下一対のストッパ１８６とが備えられている。
【００４９】
着脱フック１８２は、ボトムケース本体壁１６１のスライド溝１８１内に抜け止め状態
に取り付けられて左右方向にスライド自在なフック基部１８２ａと、このフック基部１８
２ａの右端部から片持ち状に突設されて上下方向に揺動可能（弾性変形可能）な一対の係
止アーム部１８２ｂと、フック基部１８２ａから後方に向けて突設されて台座部１８３の
右端部で開放されるＵ字状のピン受容溝１８３ａに挿入される小径円筒状の位置決めピン
１８２ｃと、フック基部１８２ａの右端部から後方に向けて垂設された板状の摘み部１８
２ｄとを有して構成される。着脱フック１８２は、各係止アーム部１８２ｂの先端（自由
端）に突出形成された突起爪が、スライド溝１８１の内壁に凹状に形成された右側の突起
爪係止溝１８１Ｒ（図１９を参照）に係合される位置（「待機位置」と称する）と、左側
の突起爪係止溝１８１Ｌ（図１９を参照）に係合される位置（「接続位置」と称する）と
の間でスライド自在である。着脱フック１８２の位置決めピン１８２ｃは、演出インター
フェース基板１４０のピン嵌挿孔１４４に嵌入可能な大きさに形成されており、このよう
に着脱フック１８２と演出インターフェース基板１４０とを連結させることで、着脱フッ
ク１８２と共に演出インターフェース基板１４０を左右方向にスライド移動させることが
できるようになっている。
【００５０】
台座部１８３及び支持リブ１８４の後面は演出インターフェース基板１４０の載置面と
なっている。ここで、ボトムケース本体壁１６１からの台座部１８３および支持リブ１８
４の後方への突出量はほぼ一致しており、これにより演出インターフェース基板１４０の
裏面を台座部１８３および支持リブ１８４に当接させた載置状態で、演出インターフェー
ス基板１４０がボトムケース本体壁１６１と平行な面内に配置される。
【００５１】
押さえリブ１８５は、ボトムケース本体壁１６１から後方に向けて垂設された案内板部
１８５ａと、この案内板部１８５ａの後端から内方に向けて屈曲した止め板部１８５ｂと
からなり、演出インターフェース基板１４０が第２収容部１８０に配設された状態で、止
め板部１８５ｂが演出インターフェース基板と１４０前後方向に重なるようになっている
。また、案内板部１８５ｂの内面側は、右方に向かって前後方向に開く傾斜のテーパ面１
８５ｃとなっており、演出インターフェース基板１４０を着脱フック１８２によって左方
の待機位置から右方の接続位置にスライドさせたときに、演出インターフェース基板１４
０の上下の側面を案内するようになっている。
【００５２】
なお、図１２に示すように、この第２収容部１８０に演出インターフェース基板１４０
が取り付けられていない状態では、ボトムケース本体壁１６１のスライド溝１８１を通し
て、液晶表示装置５０の後面ケース７０のロック片７５が後方に向けて露出されており、
このロック片７５の操作部７７にアクセス可能となっている。
【００５３】
トップケース１９０は、トップケース本体壁１９１およびこの本体壁１９１を囲んで前
方に延びる上下左右の側壁１９２を有し、全体として前面開放の矩形箱状に形成されてい
る。トップケース本体壁１９１には、演出制御基板９０上に配設された接続コネクタ９４
，９５および音声ボリューム９６をケース外部に露出させるための３箇所のトップケース
開口１９３が表裏貫通して形成されている。各トップケース開口１９３は、接続コネクタ
９４，９５および音声ボリューム９６の実装位置と対応した位置に形成されており、この
トップケース開口１９３を通して後方に露出される接続コネクタ９４に主制御基板３４の
接続コネクタがハーネス（図示せず）を介して電気接続され、同様にトップケース開口１
９３を通して後方に露出される接続コネクタ９５に枠演出接続基板３２の接続コネクタが
ハーネス（図示せず）を介して電気接続される。また、トップケース本体壁１９１におけ
る右側の側壁には演出制御基板９０の接続コネクタ（ボード・トゥ・ボードコネクタ）９
３を右方外方に露出させるためのコネクタ挿抜口１９４が形成され、左側の側壁には画像
制御基板１００の接続コネクタ１０３を左方外方に露出させるためのコネクタ挿抜口１９
５が形成されている。
【００５４】
また、トップケース１９０には、トップケース本体壁１９１の裏面から前方に突出する
有底円筒状の中空ボス１９６が６箇所形成されており、このトップケース１９０をボトム
ケース１６０にビス止め固定するためのビス（図示せず）が中空ボス１９６の中空部に受
容されて、その底部中央に穿設された貫通孔からビスのネジ部が挿通されるようになって
いる。この中空ボス１９６は、各基板９０，１００，１４０の基板取付孔９７，１０４，
１０５，１４２および第１収容部１７０のネジボス１６７と同じ数（８箇所）だけ形成さ
れており、その配置間隔も対応している。さらに、トップケース１９０にはトップケース
本体壁１９１の裏面から前方に突出する４箇所の基板押さえ１９７が形成されており、こ
のトップケース１９０をボトムケース１６０に取り付けたときに、上側２箇所の基板押さ
え１９７は演出ＲＯＭ基板１１０の表面（電子部品の非実装位置）に近接又は当接し、下
側２箇所の基板押さえ１９７はサウンドＲＯＭ基板１３０の表面（電子部品の非実装位置
）に近接又は当接するようになっている。これにより、演出ＲＯＭ基板１１０およびサウ
ンドＲＯＭ基板１３０の板厚方向に反りが生じている場合であっても、演出ＲＯＭ基板１
１０およびサウンドＲＯＭ基板１３０が基板ホルダ１２０，１３２と基板押さえ１９７と
の間に挟持されるため、これらＲＯＭ基板１１０，１３０を安定的に保持することが可能
である。なお、トップケース１９０の上下の側壁には細長いスリット状の長孔１９８が多
数形成されており、これらの長孔１９８が冷却空気をケース内部に取り込むための吸気口
となっている。
【００５５】
このように構成される液晶ユニット４０を組み立てるには、演出制御基板９０、画像制
御基板１００、演出インターフェース基板１４０、ボトムケース１６０およびトップケー
ス１９０をサブアッセンブリとして一体的に組み付けてから、このサブアッセンブリ（制
御基板アッセンブリ８０）を液晶表示装置５０に組み付けるという手順で行われる。それ
では以下においてこの組み立て順序を詳しく説明するが、各基板間を繋ぐハーネスの挿抜
についての説明は省略する。
【００５６】
制御基板アッセンブリ８０を組み立てるには、まず、演出制御基板９０と画像制御基板
１００とをボード・トゥ・ボード接続された状態でボトムケース１６０の第１収容部１７
０内に挿入して６箇所のネジボス１６７上に載置する。演出制御基板９０および画像制御
基板１００を第１収容部１７０内に収容したら、画像制御基板１００の表面側に基板ホル
ダ１２０を接近させて、この基板ホルダ１２０のフロントピン１２２を画像制御基板１０
０のフロントピン孔（図示せず）に挿入し、基板ホルダ１２０を画像制御基板１００上の
所定位置に取り付ける。この際、ボトムケース１６０のネジボス１６８が画像制御基板１
００の通過孔（図示せず）を通して基板ホルダ１２０のボス部１２４（段付き孔１２５）
に挿入されることとなる。
【００５７】
そして、基板ホルダ１２０の正面側から演出ＲＯＭ基板１１０を接近させ、演出ＲＯＭ
基板１１０のリアピン挿入孔１１３を基板ホルダ１２０のリアピン１２３にあてがい前方
に押圧して嵌入させ、演出ＲＯＭ基板１１０を基板ホルダ１２０上に取り付ける。このと
き同時に演出ＲＯＭ基板１１０の接続コネクタ１１２が画像制御基板１００の接続コネク
タ１０６と嵌合して、演出ＲＯＭ基板１１０と画像制御基板１００とがボード・トゥ・ボ
ードにて接続される。こうして演出ＲＯＭ基板１１０と画像制御基板１００とが嵌合接続
されたら、演出ＲＯＭ基板１１０の表面側からビス挿通孔１１４を通してビス（図示せず
）をネジボス１６８に螺合締結し、演出ＲＯＭ基板１１０をビス止め固定する。なお、こ
の演出ＲＯＭ基板１１０と同様にして、サウンドＲＯＭ基板１３０も基板ホルダ１３２を
介して画像制御基板１００上に取り付けられ、サウンドＲＯＭ基板１３０の接続コネクタ
（図示せず）と画像制御基板１００の接続コネクタ１０７とがボード・トゥ・ボード接続
される。
【００５８】
その結果、ボトムケース１６０の第１収容部１７０には、演出制御基板９０と、演出Ｒ
ＯＭ基板１１０およびサウンドＲＯＭ基板１３０を実装した画像制御基板１００が取り付
けられることとなり、これらの基板を覆うようにしてボトムケース１６０の後方からトッ
プケース１９０を重ね合わせることで、ボトムケース１６０の第１収容部１７０がトップ
ケース１９０によって閉止される。第１収容部１７０を閉止したら、トップケース１９０
の後方（正面側）からビス（図示せず）を中空ボス１９６に挿入し、第１収容部１７０に
収容された演出制御基板９０および画像制御基板１００の基板取付孔９７，１０４，１０
５を通してボトムケース１９０のネジボス１６７に螺合締結することで、演出制御基板９
０と二つのＲＯＭ基板１１０，１３０を実装する画像制御基板１００とがネジボス１６７
の頂部に当接された状態で基板ケース１５０にビス止め固定される。この基板ケー１５０
スの閉止状態において、演出制御基板９０の各接続コネクタ９３，９４，９５、音声ボリ
ューム９６、画像制御基板１００の接続コネクタ１０３は、トップケース１９０に開口さ
れたトップケース開口１９３およびコネクタ挿抜口１９４，１９５を通してケース外部に
露出されており、ボトムケース１６０にトップケース１９０を取り付けた閉止状態でもコ
ネクタ接続およびボリューム操作可能である。なお、上記のようにトップケース１９０は
第１収容部１７０のみを閉止しており、第２収容部１８０は常に開放されている。
【００５９】
続いて、演出インターフェース基板１４０をボトムケース１６０の第２収容部１８０に
取り付けるためには、前もって着脱フック１８２を右方の待機位置に変位させておく。そ
して、演出インタ−フェース基板１４０を第２収容部１８０に挿入して、この演出インタ
ーフェース基板１４０のピン嵌挿孔１４４を着脱フック１８２の位置決めピン１８２ｃに
位置整合させて嵌入する。これにより第２収容部１８０内において演出インターフェース
基板１４０がボトムケース１６０の台座１８３および支持リブ１８４に載置され、この状
態から着脱フック１８２を左方にスライド移動させると、この着脱フック１８２に連結さ
れた演出インターフェース基板１４０も着脱フック１８２と一体となって押さえリブ１８
５のテーパ面１８５ｃに案内されながら左方にスライド移動する。
【００６０】
ここで、演出インターフェース基板１４０の接続コネクタ１４５と演出制御基板９０の
接続コネクタ９３とは左右方向（スライド方向）に対向しており、着脱フック１８２のス
ライド移動に伴って係止アーム部１８２ｂの突起爪が左側の突起爪係止溝１８１Ｌに係合
したとき（すなわち、着脱フック１８２が接続位置に到達したとき）に、演出インターフ
ェース基板１４０の接続コネクタ１４５が演出制御基板９０の接続コネクタ９３に嵌合接
続される。つまり、演出インターフェース基板１４０のスライド方向と、両接続コネクタ
（ボード・トゥ・ボードコネクタ）９３，１４５の嵌合方向とが一致しているため、着脱
フック１８２による演出インターフェース基板１４０のスライド動作に伴って、演出イン
ターフェース基板１４０の接続コネクタ１４５と演出制御基板９０の接続コネクタ９３と
が嵌合接続されることとなる。
【００６１】
なお、このように演出インターフェース基板１４０の接続コネクタ１４５を演出制御基
板９０の接続コネクタ９３に嵌合接続させる際には、演出インターフェース基板１４０を
着脱フック１８２に連結させて、この着脱フック１８２の摘み部１８２ｄを掴んで左方に
スライド移動させるだけでよいため、演出インターフェース基板１４０および演出制御基
板９０に作業者の手指が触れることが回避され、作業者の人体に帯電している静電気によ
ってこれらの基板が静電破壊するのを防止することができる。また、着脱フック１８２を
スライド移動させたときに、演出インターフェース基板１４０の接続コネクタ１４５と演
出制御基板９０の接続コネクタ９３とが嵌合接続するのとほぼ同時に、着脱フック１８２
の係止アーム部１８２ｂを接続位置にて突起爪係止溝１８１Ｌに係合させたときのクリッ
ク感が得られるため、基板間接続時の操作フィーリングを向上させることができる。
【００６２】
また、着脱フック１８２が接続位置に達する前（接続コネクタが嵌合する前）に、演出
インターフェース基板１４０のＵ字状溝１４３にボトムケース１６０のストッパ１８６が
嵌入するとともに、演出インターフェース基板１４０の上下縁部が押さえリブ１８５によ
って押さえられて、演出インターフェース基板１４０のスライド位置が矯正されるため、
接続コネクタ９３，１４５間の接続不良を抑制することができる。
【００６３】
こうして演出インターフェース基板１４０と演出制御基板９０とが接続された状態では
、演出インターフェース基板１４０の一対の基板取付孔１４２と第２収容部１８０の２箇
所のネジボス１６７とが位置整合し、この演出インターフェース基板１４０の表面側から
基板取付孔１４２を通してビス（図示せず）をネジボス１６７に螺合締結することで、演
出インターフェース基板１４０がボトムケース１６０の第２収容部１８０にネジ止め固定
される。
【００６４】
このように演出制御基板９０、画像制御基板（ＲＯＭ基板１１０，１３０を含む）１０
０、および演出インターフェース基板１４０が基板ケース１５０に一体的に組み付けられ
てサブアッセンブリ化された制御基板アッセンブリ８０が得られ、この制御基板アッセン
ブリ８０を一個の単体として液晶表示装置５０に組み付けが可能である。
【００６５】
なお、前述した説明では、トップケース１９０をボトムケース１６０に取り付けて第１
収容部１７０を閉止させた後で、演出インターフェース基板１４０をボトムケース１６０
の第２収容部１８０に取り付けているが、これとは反対に、演出インターフェース基板１
４０をボトムケース１６０の第２収容部１８０に取り付けてからトップケース１９０をボ
トムケース１６０に取り付ける順序であっても構わない。
【００６６】
次に、この制御基板アッセンブリ８０を液晶表示装置５０に組み付けるには、まず、制
御基板アッセンブリ８０のボトムケース１６０のガイドリブ１６４を液晶表示装置５０の
後面ケース７０のガイド孔７４に後方から挿入し、この状態からガイドリブ１６４をガイ
ド孔７４に沿って右方に移動させてガイド孔７４の係止片７４ａに係合させる。ガイドリ
ブ１６４が係止片７４ａに係合されると、液晶表示装置５０に対する制御基板アッセンブ
リ８０の前後および上下移動が規制される。これと同時に、制御基板アッセンブリ８０の
基板側係止爪１６５が右方に移動するときに、この基板側係止爪１６５の傾斜面１６５ａ
が液晶表示装置５０のパネル側係止爪７６の傾斜面７６ａに当接してロック片７５全体を
前方に弾性変形させ、基板側係止爪１６５がパネル側係止爪７６を越えたときに、ロック
片７５全体が後方に向けて弾性的に復帰することで、基板側係止爪１６５とパネル側係止
爪７６とが互いの係止面７６ｂ，１６５ｂ同士を当接させて係合する。基板側係止爪１６
５とパネル側係止部７６とが係合すると、液晶表示装置５０に対する制御基板アッセンブ
リ８０の左右移動も規制され、制御基板アッセンブリ８０が液晶表示装置５０にロック状
態で組み付けられる。こうして液晶表示装置５０と制御基板アッセンブリ８０とが一体的
に組み付けられて最終的なアセンブリとしての液晶ユニット４０が得られる。
【００６７】
なお、このように液晶ユニット４０が組み立てられた状態では、液晶表示装置５０と制
御基板アッセンブリ８０とを連結する互いの係止爪７６，１６５が演出インターフェース
基板１４０の裏側に隠蔽されて、外部からこのロック片７５の操作部７７にアクセスでき
なくなるため、画制御基板アッセンブリ８０が液晶表示装置５０から不用意に離脱するの
を防止できる。
【００６８】
次に、このように組み立てられた液晶ユニット４０において、液晶表示装置５０から制
御基板アッセンブリ８０を取り外す手順について以下に説明する。
【００６９】
まず始めに、液晶ユニット４０の後面側から演出インターフェース基板１４０の２箇所
のビス（図示せず）を緩めて外し、ボトムケース１６０に対する演出インターフェース基
板１４０のビス止め固定を解除する。この状態から摘み部１８２ｄを掴んで着脱フック１
８２全体を右方にスライド移動させると、これに連結する演出インターフェース基板１４
０も一体となって右方にスライド移動される。そうすると、この動作に伴って、演出制御
基板９０の接続コネクタ９３から演出インターフェース基板１４０の接続コネクタ１４５
が抜脱され、演出制御基板９０と演出インターフェース基板１４０とのボード・トゥ・ボ
ード接続が解除される。そして、着脱フック１８２を右方の待機位置までスライド移動さ
せてから、演出インターフェース基板１４０を後方に移動させて、演出インターフェース
基板１４０のピン嵌挿孔１４４を着脱フック１８２の位置決めピン１８２ｃから抜くこと
で、演出インターフェース基板１４０をボトムケース１６０の第２収容部１８０から取り
外すことができる。
【００７０】
演出インターフェース基板１４０が第２収容部１８０から取り外されると、液晶表示装
置５０のロック片７５が後方に露出され、これによりロック片７５の解除操作が可能にな
る。こうしてロック片７５の操作部７７にアクセス可能な状態となったところで、この操
作部７７を前方に押圧操作すると、ロック片７５のパネル側係止爪７６が基板側係止爪１
６５から離反する方向（前方）に弾性変形し、これにより両者の係合が解除される。
【００７１】
上記係合が解除された状態で、制御基板アッセンブリ８０（演出インターフェース基板
１４０を除く）を左方に移動させると、ボトムケース１６０のガイドリブ１６４が後面ケ
ース７０のガイド孔７４に沿って左方に移動する。そして、このガイドリブ１６４がガイ
ド孔７４の内側端に突き当たったところで、制御基板アッセンブリ８０を後方に移動させ
れば、ガイドリブ１６４がガイド孔７４から後方に抜かれて、制御基板アッセンブリ８０
を液晶表示装置５０から取り外すことができる。
【００７２】
なお、この制御基板アッセンブリ８０において、基板ケース１５０から演出制御基板９
０、画像制御基板１００およびＲＯＭ基板１１０，１３０を分離させるには、前述の取り
付けの手順と逆の手順で行えばよいため、その説明は省略する。
【００７３】
以上、本実施形態に係るパチンコ機ＰＭでは、予め演出制御基板９０、画像制御基板１
００及び演出インターフェース基板１４０を基板保持部材たる基板ケース１５０に一体的
に組み付けてサブアッセンブリとして準備しておけば、このサブアッセンブリを液晶表示
装置５０に取り付けるだけで、液晶ユニット４０における基板交換ができるため、液晶ユ
ニット４０における基板交換の作業効率を向上させることが可能である。また、複数種の
液晶表示装置５０の間でボトムケース１６０との取付構造を共通化することで、液晶表示
パネル５１のサイズ変更等に伴い液晶示ユニット４０を設計変更する場合でも、異なる液
晶表示装置５０に対して制御基板アッセンブリ８０は共通に使用可能であるため、パチン
コ機ＰＭ（遊技機）の製造コストの低減を図ることができるとともに、リサイクル化によ
る環境保護の推進、在庫負担の軽減等に寄与することが可能である、
【００７４】
また、演出インターフェース基板１４０をボトムケース１６０の第２収容部１８０に装
着する動作に対応して、演出制御基板９０の接続コネクタ９３と演出インターフェース基
板１４０の接続コネクタ１４５とが嵌合接続（ボード・トゥ・ボード接続）される構成で
あるため、演出制御基板９０と演出インターフェース基板１４０とを配線接続する手間が
省けて配線作業に要する時間が短縮されるため、液晶ユニット４０の組立・分解の作業効
率が向上される。
【００７５】
なお、制御基板アッセンブリ８０において、基板ケース１５０内に収容保持される演出
制御基板９０と画像制御基板１００との間の基板間接続構造としてもボード・トゥ・ボー
ド接続が利用されているため、パーツ交換や保守点検等のために液晶ユニット４０から制
御基板アッセンブリ８０を取り外した場合に、トップケース１９０を開放して、これらの
基板間の相互の接続を簡単に解除することができるため、その作業効率をより向上させる
ことが可能である。
【００７６】
また、演出インターフェース基板１４０を着脱フック１８２に連結させ、この着脱フッ
クの摘み部１８２ｄを掴んで、演出インターフェース基板１４０を保持した着脱フック１
８２を演出制御基板９０（左方向）にスライド移動させることで、演出制御基板９０の接
続コネクタ９３と演出インターフェース基板１４０の接続コネクタ１４５とが嵌合接続（
ボード・トゥ・ボード接続）されるため、基板上の素子類に手指を触れずに演出制御基板
９０と演出インターフェース基板１４０との接続作業を行うことができるため、作業者の
人体が帯電している静電気により基板の静電気破壊が発生するのを防止できる。
【００７７】
さらに、制御基板アッセンブリ８０が液晶表示装置５０の後面ケース０に取り付けられ
た状態で、液晶ユニット４０を後面側から見たときに、ロック片７５の操作部７７が演出
インターフェース基板１４０によって隠蔽されることで、意図しない操作部７７への接触
をガードして、電源が投入された状態において液晶ユニット４０から制御基板アッセンブ
リ８０が不用意に離脱するのを未然に防止することができる。
【００７８】
これまで本発明の好ましい実施形態について説明してきたが、本発明の範囲はこれに限
定されるものではない。例えば、上述の実施形態において、請求の範囲に規定するサブ制
御基板を演出制御基板９０と画像制御基板１００とに機能分割して別個の制御基板として
構成しているが、これに限定されるものではなく、これらの基板が担う機能を一体的に構
成し、１つの制御基板として構成してもよい。
【００７９】
また、上述の実施形態では、トップケース１９０によってボトムケース１６０の第１収
容部１８０のみが閉止され、演出インターフェース基板１４０を収容する第２収容部１８
０は開放されているが、これに限定されるものではなく、トップケースによって第１収容
部１７０および第２収容部１８０の両方（すなわち、ボトムケース１６０の後面側全体）
を閉止するように構成してもよい。
【００８０】
また、上述の実施形態では、画像表示装置として、液晶表示パネルを有した液晶表示装
置を例示して説明したが、これに限定されるものではなく、有機ＥＬ表示装置、プラズマ
ディスプレイ表示装置、ＣＲＴ、等の他の表示装置を適用して構成してもよい。
【００８１】
なお、上述の実施形態では、本発明をパチンコ機に適用した事例について説明したが、
アレンジボール機や雀球遊技機などの他の遊技機に適用することができ、同様の効果を得
ることができる。
【符号の説明】
【００８２】
ＰＭ    パチンコ機（遊技機）
ＰＡ    遊技領域
２      前枠（枠部材）
１０    遊技盤
１９    遊技構成部品
３４    主制御基板（メイン制御基板）
４０    液晶ユニット（画像表示ユニット）
５０    液晶表示装置（画像表示装置）
５１    液晶表示パネル（画像表示パネル）
５３    液晶パネルケース（パネル収容部材）
７５    ロック片
７６    パネル側係止爪（パネル側係合部）
７７    操作部
８０    制御基板アッセンブリ（サブアッセンブリ）
９０    演出制御基板（サブ制御基板）
９３    接続コネクタ（サブ制御基板コネクタ）
１００  画像制御基板（サブ制御基板）
１１０  演出ＲＯＭ基板
１２０  基板ホルダ
１３０  サウンドＲＯＭ基板
１４０  演出インターフェース基板（インターフェース基板）
１４５  接続コネクタ（インターフェース基板コネクタ）
１５０  基板ケース
１６０  ボトムケース（基板保持部材）
１６５  基板側係止爪（基板側係合部）
１８２  着脱フック（スライド部材）
【図１】
0005561737.tif 000002
【図２】
0005561737.tif 000003
【図３】
0005561737.tif 000004
【図４】
0005561737.tif 000005
【図５】
0005561737.tif 000006
【図６】
0005561737.tif 000007
【図７】
0005561737.tif 000008
【図８】
0005561737.tif 000009
【図９】
0005561737.tif 000010
【図１０】
0005561737.tif 000011
【図１１】
0005561737.tif 000012
【図１２】
0005561737.tif 000013
【図１３】
0005561737.tif 000014
【図１４】
0005561737.tif 000015
【図１５】
0005561737.tif 000016
【図１６】
0005561737.tif 000017
【図１７】
0005561737.tif 000018
【図１８】
0005561737.tif 000019
【図１９】
0005561737.tif 000020
【図２０】
0005561737.tif 000021